(57)【特許請求の範囲】
【請求項１】
本体枠に設けられる遊技盤に配設された外レールと、前記遊技盤における外レールの内側に配設され、該外レールとの間に遊技球が通過可能な発射通路を下方に開口するよう画成する内レールと、前記本体枠における遊技盤の下方に配設されて、前記発射通路の下方開口へ向けて上方傾斜し、打球機構部により打ち出された遊技球を発射通路の下方開口へ案内する発射レールと、前記発射通路の下方開口に臨むよう前記本体枠に形成され、該発射通路を流下した遊技球が進入する樋部とを備えた遊技機において、
前記発射レールの傾斜上端部に設けられ、該発射レールの発射通路側端面の全面を覆う保護部材と、
前記外レールの下端側に配設された変更部材とを備え、
前記変更部材は、前記外レールに沿って延在する板状本体と、前記板状本体において前記外レールの幅方向に延在して該幅方向全体に亘って発射通路側に突出する突起部と、前記板状本体における前記突起部の前記外レール側において前記発射通路側に開口する凹部とを有し、
前記打球機構部により前記発射レールに沿って打ち出された遊技球は、前記変更部材の配設位置より上方で前記外レールに当接する一方、該発射通路を下端側へ流下する遊技球は、前記変更部材の板状本体に沿って移動した後に前記突起部との接触により流下方向が変更されるよう構成した
ことを特徴とする遊技機。
【請求項２】
前記保護部材は、前記発射レールに対し発射通路側端から差込み可能な基体部と、該基体部に形成されて、該発射レールの発射通路側端面を覆う保護部とを備え、
前記保護部は、前記発射レールの遊技球が転動するレール面部側の上端面が、該レール面部の形状に倣う形状に形成されると共に、該レール面部より僅かに下方へずらしてある請求項１記載の遊技機。
【請求項３】
前記本体枠において前記発射レールに配設した前記保護部材の発射通路側に、１個の遊技球が通過可能な開口部を開設した画壁を形成し、前記打球機構部により打ち出された遊技球は、該画壁の開口部を介して発射通路に到るよう構成した請求項１または２記載の遊技機。
【請求項４】
前記外レールの下端は、前記変更部材に設けた係止部に係止される請求項１〜３の何れか一項に記載の遊技機。
【請求項５】
前記発射レールは、前記保護部材を抜き差し可能な保持部が形成されると共に保持部に第１係合部が設けられ、前記保護部材は、前記第１係合部と係脱可能に係合する第２係合部が形成されて、
前記保護部材を前記保持部に差し込むことで、前記第１および第２係合部が弾性変形を伴って係合することで保護部材が発射レールに保持され、前記第１および第２係合部の係合を弾性変形により解除して前記保護部材を保持部から抜き出すことで、発射レールから保護部材を取り外し得るよう構成されている請求項１〜４の何れか一項に記載の遊技機。
【発明の詳細な説明】
【技術分野】
【０００１】
本発明は、内外のレールにより発射通路を画成した遊技盤を本体枠に配設し、該本体枠における遊技盤の下方に発射通路へ遊技球を案内する発射レールを配設した遊技機に関するものである。
【背景技術】
【０００２】
代表的な遊技機であるパチンコ機は、外郭をなす外枠に対して、遊技盤を保持する本体枠としての中枠が開閉可能に組付けられると共に、該中枠の前面側に、遊技盤を透視保護するガラス板を設けた前枠や、パチンコ球を貯留する球皿部材が組付けられている。また、前記遊技盤には、略円形の遊技領域が画成されると共に、該遊技領域内および遊技盤の下方に開口する発射通路を画成した案内レールが設けられており、前記球皿部材に貯留したパチンコ球を中枠に配設した打球発射装置の作動により案内レールの発射通路へ向けて打ち出して遊技を行なうようになっている。
【０００３】
前記打球発射装置は、前記案内レールの発射通路へ向けて上方傾斜する発射レールと、該発射レール上のパチンコ球を打ち出す打球機構部と、操作ハンドルの操作に応じて球皿部材に貯留したパチンコ球を発射レール上の打球発射位置に送出す球送出し装置とを備え、操作ハンドルの操作により、パチンコ球が案内レールの発射通路へ向けて１球ずつ打ち出されるよう構成される(例えば特許文献１参照)。また、前記中枠における前記案内レール(発射通路)の下方開口に対応する位置には、前記球皿部材へ連通する球回収樋が形成されて、前記遊技領域に発射されることなく案内レール内を流下したパチンコ球(所謂、ファール球)を、この球回収樋を介して球皿部材に回収するようになっている。
【０００４】
また、特許文献１には、前記発射レールを中枠に取り付ける発射レール取付部材の傾斜上端部に、該発射レールの高さ位置(傾斜角度)を調節する高さ調節機構を設けると共に、該高さ調節機構を保護するファール球受け部を設ける構成が開示されている。すなわち、前記案内レールの下端からファール球が勢いよく放出されて、前記球回収樋に回収されることなく発射レール側にファール球が飛来した場合であっても、ファール球受け部に衝突させることで高さ調節機構に変形等の損傷が生ずるのを防止している。
【特許文献１】特開２００１−１２９１７３号公報
【発明の開示】
【発明が解決しようとする課題】
【０００５】
ところで、特許文献１に記載されたファール球受け部は、該特許文献１の図４または図６からも明らかなように、前記発射レールの傾斜上端部の概ね下側半分を覆う寸法に設定されている。従って、前記ファール球受け部は、前記高さ調節機構を保護し得る一方、発射レール自体を完全には保護していない。このため、前記ファール球の発射レールへの衝突を阻止することは困難で、該ファール球の衝突により発射レールに変形等の損傷を来たす問題を内在している。そして、このような発射レールの損傷が生ずると、発射レールに沿ってパチンコ球を案内レール(発射通路)へ向けて適正に打ち出せなくなる問題を招く。ここで、仮にファール球受け部を発射レールの傾斜上端部の全面を覆うようにした場合には、発射レールにファール球が衝突するのは回避し得る。しかしながら、この場合にはファール球がファール球受け部に衝突するため、該ファール球受け部の変形等の損傷を招来する問題がある。すなわち、ファール球受け部が変形等すると、その変形部位が発射レール上に突出して、前述と同様に、発射レールに沿ってパチンコ球を案内レールへ向けて適正に打ち出せなくなる問題が発生する。
【０００６】
そこで、本発明は、ファール球から発射レールを保護して、遊技球を適正に発射可能な遊技機を提供することを目的とする。
【課題を解決するための手段】
【０００７】
前記課題を克服し、所期の目的を達成するために、本願の請求項１に係る発明は、
本体枠(12)に設けられる遊技盤(19)に配設された外レール(20)と、前記遊技盤(19)における外レール(20)の内側に配設され、該外レール(20)との間に遊技球(B)が通過可能な発射通路(22)を下方に開口するよう画成する内レール(21)と、前記本体枠(12)における遊技盤(19)の下方に配設されて、前記発射通路(22)の下方開口(22a)へ向けて上方傾斜し、打球機構部(45,59)により打ち出された遊技球(B)を発射通路(22)の下方開口(22a)へ案内する発射レール(46)と、前記発射通路(22)の下方開口(22a)に臨むよう前記本体枠(12)に形成され、該発射通路(22)を流下した遊技球(B)が進入する樋部(37)とを備えた遊技機において、
前記発射レール(46)の傾斜上端部に設けられ、該発射レール(46)の発射通路側端面の全面を覆う保護部材(50)と、
前記外レール(20)の下端側に配設された変更部材(25)とを備え、
前記変更部材(25)は、前記外レール(20)に沿って延在する板状本体(26)と、前記板状本体(26)において前記外レール(20)の幅方向に延在して該幅方向全体に亘って発射通路側に突出する突起部(27)と、前記板状本体(26)における前記突起部(27)の前記外レール(20)側において前記発射通路(22)側に開口する凹部(28)とを有し、
前記打球機構部(45,59)により前記発射レール(46)に沿って打ち出された遊技球(B)は、前記変更部材(25)の配設位置より上方で前記外レール(20)に当接する一方、前記発射通路(22)を下端側へ流下する遊技球(B)は、前記変更部材(25)の板状本体(26)に沿って移動した後に前記突起部(27)との接触により流下方向が変更されるよう構成したことを要旨とする。
また、本願の請求項２に係る発明では、前記保護部材(50)は、前記発射レール(46)に対し発射通路(22)側端から差込み可能な基体部(51)と、該基体部(51)に形成されて、該発射レールの発射通路側端面を覆う保護部(52)とを備え、
前記保護部(52)は、前記発射レール(46)の遊技球(B)が転動するレール面部(47)側の上端面(52a)が、該レール面部(47)の形状に倣う形状に形成されると共に、該レール面部(47)より僅かに下方へずらしてあることを要旨とする。
【０００８】
従って、請求項１に係る発明によれば、発射レールの発射通路側端面を保護部材で覆うことで、発射通路内を流下した遊技球が発射レールまで飛来した場合であっても、発射レールを確実に保護できる。また、発射通路内に突出する変更部材を外レールの下端側に配設したことで、遊技盤の発射通路内を流下する遊技球が該変更部材に設けた突起部に接触するようになり、該変更部材により遊技球の流下方向を変更することができる。これにより、前記遊技盤の発射通路内を流下した遊技球が発射レールへ向かう割合を低減し得るから、該発射レールや保護部材の変形等の損傷を効果的に抑制でき、発射レールに沿った遊技球の適正な打ち出しを確保し得る。
また、請求項２に係る発明によれば、前記保護部材の保護部に遊技球が衝突して該保護部に変形が生じた場合であっても、その変形した部位が発射レールのレール面部に突出しないから、該レール面部に沿った遊技球の適正な打ち出しを阻害しない。
【０００９】
請求項３に係る発明では、前記本体枠(12)において前記発射レール(46)に配設した前記保護部材(50)の発射通路(22)側に、１個の遊技球(B)が通過可能な開口部(35a)を開設した画壁(35)を形成し、前記打球機構部(45,59)により打ち出された遊技球(B)は、該画壁(35)の開口部(35a)を介して発射通路(22)に到るよう構成したことを要旨とする。
【００１０】
請求項３に係る発明によれば、前記本体枠における発射レールに配設した保護部材より発射通路側に形成した画壁に、１個の遊技球が通過可能な開口部を開設することで、遊技球の打ち出しを確実に許容し得ると共に、発射通路から戻った遊技球が発射レールまで到来するのを画壁で阻止し得る。従って、発射レールの保護をより確実になし得る。
【００１１】
請求項４に係る発明では、前記外レール(20)の下端は、前記変更部材(25)に設けた係止部(31)に係止されることを要旨とする。
【００１２】
請求項４に係る発明によれば、前記外レールの下端を変更部材に係止して位置決めすることで、遊技球の流下方向を変更するために外レールを加工する必要がなく、製造コストの低減を図り得る。また、外レールの下端が変更部材に係止されるから、外レールと変更部材とを所定の位置関係で位置決めでき、該外レールに沿って流下した遊技球を確実に変更部材に接触させて流下方向を変更することができる。
【００１３】
請求項５に係る発明では、前記発射レール(46)は、前記保護部材(50)を抜き差し可能な保持部(46a)が形成されると共に保持部(46a)に第１係合部(44)が設けられ、前記保護部材(50)は、前記第１係合部(44)と係脱可能に係合する第２係合部(73)が形成されて、
前記保護部材(50)を前記保持部(46a)に差し込むことで、前記第１および第２係合部(44,73)が弾性変形を伴って係合することで保護部材(50)が発射レール(46)に保持され、前記第１および第２係合部(44,73)の係合を弾性変形により解除して前記保護部材(50)を保持部(46a)から抜き出すことで、発射レール(46)から保護部材(50)を取り外し得るよう構成されることを要旨とする。
【００１４】
請求項５に係る発明によれば、発射レールに設けた保持部の第１係合部と、保護部材に設けた第２係合部とを係脱するだけで保護部材を着脱し得るから、保護部材に変形等の損傷が生じたとしても当該保護部材のみを容易に交換することができる。
【発明の効果】
【００１５】
本発明に係る遊技機によれば、ファール球から発射レールを保護して、遊技球を適正に発射可能することが可能となる。
【発明を実施するための最良の形態】
【００１６】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図１に示すようにパチンコ機を正面から見た状態において指称するものとする。
【実施例１】
【００１７】
実施例１に係るパチンコ機１０の概略構成について、図１を参照して説明する。パチンコ機１０は、外郭をなし、遊技場に設けられた島とも称される設置枠台６５(図１０参照)に固定される外枠１１と、該外枠１１に対して着脱および開閉可能に枢支された中枠(本体枠)１２と、該中枠１２に着脱交換可能に取り付けられて所要の遊技領域１９ａが画成される遊技盤１９と、中枠１２の前面側に着脱および開閉可能に枢支されて、遊技盤１９を透視保護するガラス板１４を備えた前枠１３とを備えている。前記前枠１３の下方位置には、パチンコ球Ｂ(図４等参照)を貯留可能な上球皿１５が一体的に組付けられており、前枠１３の開閉に合わせて該上球皿１５も一体的に開閉するようになっている。また、前記中枠１２の前側における前記前枠１３の下方には、パチンコ球Ｂを貯留可能な下球皿１７を形成した球皿部材１６が着脱および開閉可能に組付けられている。ここで、前記球皿部材１６の裏面側には、後方に開口する凹部１６ａ(図１または図１０参照)が形成されており、該球皿部材１６を閉成した際に、後述する発射ユニット４２のロータリーソレノイド４５を凹部１６ａに収容し得るようになっている。なお、前記設置枠台６５は、パチンコ球Ｂを回収する球回収部材６６(図１０参照)を備えており、パチンコ機１０を設置枠台６５に設置した際に、パチンコ機１０(中枠１２)の裏側における左右方向の略中央位置に球回収部材６６が位置するようになっている。
【００１８】
また、前記前枠１３の裏側における前記上球皿１５の球出口(図示せず)に対応する位置には、中枠１２の裏側に設けた発射制御装置に接続する球送り装置１３ａ(図１参照)が配設されており、発射制御装置の制御に基づいて、上球皿１５に貯留したパチンコ球Ｂを発射ユニット４２の打球発射位置に１球ずつ送出すよう構成されている。更に、中枠１２における下球皿１７の右側には、前記発射制御装置に接続するハンドル部材１８が配設されており、該ハンドル部材１８を回動操作することにより、発射制御装置の制御に基づいて発射ユニット４２が作動して、前記上球皿１５に貯留したパチンコ球Ｂ(すなわち打球発射位置にあるパチンコ球Ｂ)を遊技盤１９の遊技領域１９ａに向けて発射するようになっている。
【００１９】
ここで、前記遊技盤１９は、前記中枠１２の上部位置に前後に開口するよう形成した遊技盤保持部３２(図２〜図４参照)に対して前側から着脱可能に保持されている。また、前記遊技盤１９の盤面(前面)には、略円形状に湾曲形成した外レール２０および内レール２１が配設されており、該内レール２１の内側に画成される遊技領域１９ａ内に、図柄表示装置や入賞装置等の遊技用部品(何れも図示せず)を配置するようになっている。前記外レール２０および内レール２１は、パチンコ球Ｂが通過可能な距離離間するよう設けられて、該内外のレール２０,２１の間に形成される発射通路２２を通過したパチンコ球Ｂが遊技領域１９ａの上部位置に発射されるようになっている。ここで、図２〜図４に示すように、前記発射通路２２は、遊技盤１９の下端部における左寄り位置で下方に開口している。なお、以下の説明においては、前記発射通路２２の下方開口を始端開口部２２ａと指称する。
【００２０】
図１〜図４に示すように、前記遊技盤１９における外レール２０の下端側には、発射通路２２内を流下したパチンコ球Ｂ(すなわちファール球)との接触により、パチンコ球Ｂの流下方向を変更させる変更部材２５が配設されている。前記変更部材２５は、図５に示すように、前記外レール２０に沿って延在する板状本体２６と、該板状本体２６に突設されて発射通路２２に突出する突起部２７とを備え、発射通路２２内を外レール２０に沿って流下したパチンコ球Ｂが突起部２７に接触することで、該パチンコ球Ｂを弾いて流下方向を変更させるようになっている。また、前記板状本体２６における前記突起部２７の上側には、発射通路２２側に開口する凹部２８が形成されて、該凹部２８に外レール２０の下端が臨み、該外レール２０を流下したパチンコ球Ｂが確実に突起部２７に接触するようになっている(図４参照)。なお、以下の説明において、前記板状本体２６における発射通路２２側を表側と指称し、発射通路２２とは反対側を裏側と指称する。
【００２１】
図５に示すように、前記板状本体２６の後端部における上下方向の略中央位置には、後方へ向けて突出する軸部２９が形成され、この軸部２９を遊技盤１９の固定孔(図示せず)に圧入することで、変更部材２５を遊技盤１９に固定するよう構成されている。また、前記軸部２９には、前方に開口する第１ピン留め孔２９ａが形成されており、前記外レール２０の下端側の後端部に取り付けた割ピン(係止部)３１を、該第１ピン留め孔２９ａに差し込むようになっている。すなわち、前記外レール２０に設けた割ピン３１を変更部材２５に設けた第１ピン留め孔２９ａに差し込むことで、外レール２０と変更部材２５とを所定の位置関係で位置決めしている。なお、前記板状本体２６の後端部には、上端部近傍に後方へ突出する位置決め突部３０が形成されると共に、遊技盤１９における対応位置には、該位置決め突部３０を挿入可能な挿入孔(図示せず)が形成されて、前記軸部２９を固定孔に圧入した際に位置決め突部３０が挿入孔に挿入されて、変更部材２５を遊技盤１９に対して所定の姿勢で保持するようになっている。また、前記板状本体２６の裏側には、前後方向に貫通する第２ピン留め孔２６ａが前後に貫通するよう形成されており、前記軸部２９および位置決め突部３０の夫々を、遊技盤１９の対応する固定孔および挿入孔に挿入した状態で、該第２ピン留め孔２６ａに挿通した固定ピン(図示せず)を遊技盤１９に打込むことにより、変更部材２５を遊技盤１９に確実に固定するよう構成されている。
【００２２】
また、図１〜図３に示すように、前記中枠１２における前記遊技盤保持部３２の下方には、左右方向の略中央位置に設置面部３３が形成されており、該設置面部３３に前記発射ユニット４２が配設されている。更に、前記中枠１２における設置面部３３の左方には、前記下球皿１７に連通する球戻し通路部(樋部)３７が形成されると共に、該球戻し通路部３７の左方には、効果音出力用のスピーカ３８が配設されている。ここで、前記設置面部３３、球戻し通路部３７およびスピーカ３８の前側は、前記前枠１３および前記球皿部材１６で閉成されるようになっている。なお、前記中枠１２における設置面部３３の右方に、前記ハンドル部材１８を配置してある。
【００２３】
図１〜図４または図１０に示すように、前記遊技盤保持部３２の下端部には、前方へ突出する庇状部３９が形成されており、該庇状部３９が前記前枠１３の裏側に当接するようになっている。すなわち、前記中枠１２における遊技盤１９の設置領域と、前記設置面部３３、球戻し通路部３７およびスピーカ３８等の設置領域とを、前記庇状部３９で区画するよう構成される。なお、前記庇状部３９における前記球戻し通路部３７と対応する位置には、上下に開口する戻り口４０が形成されており、該戻り口４０の上方に、前記遊技盤１９に形成した前記発射通路２２の始端開口部２２ａが臨んでいる。ここで、前記変更部材２５の板状本体２６は、前記戻り口４０の近傍まで延在するよう形成されて、前記発射通路２２を流下したパチンコ球Ｂが庇状部３９上に滞留することなく戻り口４０へ落下するようになっている。なお、前記球戻し通路部３７は、前記中枠１２に着脱可能に配設されるカバー部材４１(図１または図２参照)により前方開口を閉鎖されて、前記戻り口４０を介して落下するパチンコ球Ｂを下球皿１７に確実に回収し得るよう構成されている。
【００２４】
前記設置面部３３は、前記遊技盤保持部３２に保持した遊技盤１９の盤面と略同一平面上に位置するよう形成されて(図２または図１０参照)、前記発射ユニット４２が取り付けられる複数の支持部３４が前方へ突出するよう形成されている。ここで、前記各支持部３４の前記設置面部３３からの突出寸法は、前記発射ユニット４２における発射レール４６(後述)の前後方向の幅寸法と略同一になるよう設定されて、発射ユニット４２の裏面を設置面部３３に対向させた姿勢で取り付け得るよう構成されている(図１０参照)。すなわち、前記支持部３４に発射ユニット４２を取り付けた際に、発射レール４６上のパチンコ球Ｂの後方への落下を設置面部３３で防止し得るようになっている。また、前記設置面部３３には、前記支持部３４に取り付けた発射ユニット４２における発射レール４６の上方に臨む位置に球溢れ防止壁３６が突設されており、該発射レール４６から上方に離間する方向にパチンコ球Ｂが移動するのを規制するよう構成される。
【００２５】
なお、前記複数の支持部３４に対して、ネジ孔３４ａが全部で３箇所に螺設されると共に、位置決め孔３４ｂが全部で２箇所に穿設されている。更に、図２〜図４に示すように、前記設置面部３３と前記球戻し通路部３７とを画成する画壁３５(すなわち、発射レール４６より発射通路２２側に設けられた画壁)には、前記球溢れ防止壁３６の上端部側に位置する前記庇状部３９の近傍に、１個のパチンコ球Ｂが通過し得る開口寸法に設定された開口部３５ａを開設してある。なお、前記設置面部３３の裏面側(すなわち、中枠１２の裏側における左右方向の略中央位置)には、遊技領域１９ａに発射されて遊技に供されたパチンコ球Ｂを排出する球排出通路１２ａ(図１０参照)が設けられており、該球排出通路１２ａからパチンコ球Ｂが前記球回収部材６６に排出されるようになっている。
【００２６】
前記発射ユニット４２は、図６〜図８に示すように、前記支持部３４に取り付けられる平板状の取付ベース部材４３と、該取付ベース部材４３の前面側に配置される回転式駆動手段としてのロータリーソレノイド(打球機構部)４５と、取付ベース部材４３の裏面側に配置される発射レール４６と、該発射レール４６の傾斜上端部に設けられる保護部材５０と、取付ベース部材４３の裏面側に配置されてロータリーソレノイド４５の回転軸４５ａに接続する打球杆(打球機構部)５９とを基本的に備えている。ここで、前記取付ベース部材４３には、前記支持部３４のネジ孔３４ａと対応する位置に、前後に貫通する通孔４３ａが穿設されると共に、該支持部３４の位置決め孔３４ｂと対応する位置に、突出部４３ｂが後方へ向けて突設されている。すなわち、前記発射ユニット４２を支持部３４に固定するに際しては、前記取付ベース部材４３の各突出部４３ｂを対応する支持部３４の位置決め孔３４ｂに挿入して位置決めした状態で、取付ベース部材４３における各通孔４３ａの前側から挿通したネジを対応するネジ孔３４ａに螺挿することで、該取付ベース部材４３が固定されるようになっている。なお、前記取付ベース部材４３の左下部位置には、前後に貫通する挿通孔４３ｄ(図１０参照)が穿設されており、該挿通孔４３ｄに前記ロータリーソレノイド４５の回転軸４５ａを挿通するようになっている。また、前記取付ベース部材４３の上端縁には、発射レール４６の傾斜方向に沿って離間する箇所に、ネジ孔４４ａを螺設したボス４４を後方へ向けて突設してある(図７参照)。
【００２７】
前記発射レール４６は、前記取付ベース部材４３の裏面側の上部位置に、左方向へ向けて上方傾斜するよう配置される。ここで、前記発射レール４６は、傾斜上端部が前記画壁３５の開口部３５ａに臨むと共に、前記発射通路２２へ向けて延在する姿勢で取付ベース部材４３に取り付けられる。すなわち、前記発射レール４６に沿って打ち出されたパチンコ球Ｂは、前記画壁３５の開口部３５ａおよび前記戻り口４０を介して前記外レール２０(発射通路２２)まで到来し、該外レール２０(発射通路２２)に沿って遊技盤１９の上部位置まで移動するようになっている。ここで、前記発射レール４６の傾斜角度は、図４(a)に示すように、該発射レール４６に沿って打ち出されたパチンコ球Ｂが前記変更部材２５の配置位置より上方に到来して、パチンコ球Ｂが変更部材２５の突起部２７に接触しないよう設定される。
【００２８】
また、前記発射レール４６は、図７に示すように、パチンコ球Ｂが転動するレール面部４７と、該レール面部４７の前後の端縁に連接する前後の側壁部４８,４８とから傾斜方向および下方に開口するよう形成されている。なお、前記レール面部４７は、長手方向に沿って案内溝４７ａが延在する断面略Ｖ字状に形成されて、パチンコ球Ｂを案内溝４７ａに沿って案内するよう構成されている(図９参照)。ここで、実施例１には、前記発射レール４６における両側壁部４８,４８の間に前記保護部材５０を配設するよう構成されており、両側壁部４８,４８の間が保持部４６ａ(図８参照)として機能するようになっている。また、前記発射レール４６における前後の側壁部４８,４８には、長手方向に離間する箇所に通孔４８ａが夫々穿設されており、各通孔４８ａに前記取付ベース部材４３の対応するボス４４を挿通して、ボス４４のネジ孔４４ａにネジ６２を螺挿することにより、発射レール４６が取付ベース部材４３に固定されるようになっている。
【００２９】
前記保護部材５０は、図７に示すように、前記発射レール４６の保持部４６ａに差込み可能な基体部５１と、該基体部５１の傾斜上端側に形成され、発射レール４６の発射通路２２側端面を覆う保護部５２とから構成されている。なお、前記基体部５１における前記レール面部４７との対向面５１ａは、レール面部４７の折曲形状に倣う略Ｖ字状に形成してある。また、前記基体部５１を前記発射レール４６の保持部４６ａに差し込んだ際に、両側壁部４８,４８の傾斜上端側に位置する通孔４８ａと前後に整列する位置には、下方へ開口する切欠き５３が形成されており、発射レール４６の通孔４８ａに挿入した取付ベース部材４３のボス４４が、保護部材５０の切欠き５３に臨むようになっている。これにより、前記発射レール４６の両側壁部４８,４８が基体部５１を挟持して保護部材５０が前後方向へ移動するのを規制すると共に、前記ボス４４が切欠き５３に係合して保護部材５０が発射レール４６の傾斜方向および下方へ移動するのを規制している。なお、保護部材５０の上方への移動は、レール面部４７に基体部５１の対向面５１ａが当接することにより規制される。また、前記基体部５１における前後の下端部には、外方へ突出するフランジ５４が夫々形成されており、該基体部５１を発射レール４６の両側壁部４８,４８の間に臨ませた際に、該フランジ５４,５４が両側壁部４８,４８の下端に当接して位置決めするようになっている。
【００３０】
前記保護部５２は、図７に示すように、前記基体部５１に対して上方および前後方向に突出する板状に形成されて、前記発射レール４６の発射通路２２側端面の全面を覆うよう構成されている。なお、前記保護部５２のレール面部４７側(以下上端面５２ａという)は、レール面部４７に倣う形状に形成されて、該レール面部４７に沿って打ち出されるパチンコ球Ｂに接触しないようになっている。ここで、図９に示すように、前記保護部５２の上端面５２ａは、前記発射レール４６の発射通路２２側の上端縁より僅かに寸法Ｔだけ下方に位置するよう構成されている。すなわち、前記保護部５２の上端面５２ａと、前記発射レール４６の発射通路２２側の上端縁とを完全に整合させた場合には、パチンコ球Ｂ(ファール球)が衝突して保護部５２に僅かな変形が生じた場合であっても、その変形部位がレール面部４７に突出してパチンコ球Ｂの打ち出しに影響を及ぼす事態が生じかねない。そこで、実施例１では、前記保護部５２の上端面５２ａを、前記発射レール４６の発射通路２２側の上端縁より僅かに寸法Ｔだけ下方に位置させて、保護部５２に僅かな変形が生じた場合であっても、その変形部位がレール面部４７上に突出しないようになっている。すなわち、本発明において、「発射レール４６の発射通路側端面の全面を覆う」とは、前記発射レール４６の発射通路側端面の全面が完全に覆われた状態のみならず、発射レール４６の発射通路側端面が僅かに露出する状態を含む概念である。
【００３１】
なお、実施例１では、前記保護部５２の上端面５２ａと、前記発射レール４６の発射通路側端面の上端縁との離間寸法Ｔは、０．５ｍｍに設定されている。ここで、前記発射レール４６の発射通路側端面を保護部５２で適切に保護しつつ、保護部５２に変形が生じた場合に、その変形部位がレール面部４７の表面に突出してパチンコ球Ｂの打ち出しに影響が出ないようにするには、前記離間寸法Ｔを、０．３ｍｍ〜０．７ｍｍの範囲に設定するのが好適である。すなわち、離間寸法Ｔを０．３ｍｍより小さく設定すると、保護部５２の変形時に変形部位がレール面部４７の表面側に突出する可能性が増大し、離間寸法Ｔを０．７ｍｍより大きく設定すると、保護部５２が発射レール４６の発射通路側端面を適正に保護し得なくなる可能性が高くなる。
【００３２】
また、前記取付ベース部材４３の裏面側には、図６〜図８に示すように、前記発射レール４６の傾斜下端部側の上方位置に、パチンコ球Ｂに当接して落下を防止する球規制部材５６が取り付けられており、該球規制部材５６によりパチンコ球Ｂを発射レール４６の傾斜下端部で停止保持するようになっている。なお以下の説明において、前記球規制部材５６がパチンコ球Ｂを停止保持する位置を打球発射位置と指称する。また、前記取付ベース部材４３の裏面側には、前記発射レール４６の傾斜下端部側の下方位置に、前記打球杆５９を位置規制する上ストッパ５７が設けられると共に、ロータリーソレノイド４５の配設位置の右方(図７または図８では左方)に、該打球杆５９を位置規制する下ストッパ５８が設けられている。前記上下のストッパ５７,５８は、ゴム等の弾性部材で形成されており、打球杆５９の衝突による衝撃を緩衝するようになっている。
【００３３】
前記打球杆５９は、図６〜図８に示すように、所要長の棒状部材であって、前記上下のストッパ５７,５８の間に臨むよう一方の端部に前記ロータリーソレノイド４５の回転軸４５ａが固定されると共に、他方の端部にコイルスプリングやゴム材等からなる弾発部５９ａが設けられている。すなわち、前記打球杆５９は、常には前記ロータリーソレノイド４５の回転軸４５ａから右方向に延在して下ストッパ５８に当接する初期位置(図８においては２点鎖線で示す)に保持され、該ロータリーソレノイド４５の駆動に伴って前記弾発部５９ａが発射レール４６の打球発射位置に臨む終位置(図８においては実線で示す)に揺動されるようになっている。なお、前記打球杆５９が終位置に到来すると前記上ストッパ５７に当接して揺動が規制され、その後に打球杆５９の自重により初期位置に復帰するようになっている。すなわち、前記ロータリーソレノイド４５への通電励磁毎に、前記打球杆５９が前記初期位置と終位置との間で揺動変移されて、発射レール４６における打球発射位置のパチンコ球Ｂを打ち出し得るようになっている。なお、前記球送り装置１３ａは、前記打球杆５９が終位置に到来してパチンコ球Ｂを打ち出した後に、上球皿１５のパチンコ球Ｂを発射レール４６(打球発射装置)に送出すよう設定されており、該球送り装置１３ａおよびロータリーソレノイド４５の作動タイミングを図示しない発射制御装置が制御するようになっている。
【００３４】
ここで、図６〜図８に示すように、前記取付ベース部材４３は、前記発射レール４６より上方に延在(突出)するよう形成される。すなわち、前記取付ベース部材４３における前記発射レール４６より上方まで延在する部位が、該発射レール４６の前側にパチンコ球Ｂが落下するのを防止する落下防止部６０として機能する。ここで、前記発射レール４６からの前記落下防止部６０の突出寸法Ｌは、パチンコ球Ｂの直径寸法の２／３≦Ｌ≦直径寸法の範囲となるよう設定されている。すなわち、前記落下防止部６０の突出寸法Ｌをパチンコ球Ｂの直径寸法の２／３より小さく設定すると、パチンコ球Ｂの前方への落下を防止し得なくなる虞があり、また落下防止部６０の突出寸法をパチンコ球Ｂの直径寸法Ｌより大きく設定すると、必要以上に落下防止部６０が大きくなり、コストの増大や発射ユニット４２が大型化する問題を招来する。
【００３５】
なお、前記取付ベース部材４３は、前記発射レール４６の打球発射位置に近接する端部側は、落下防止部６０に対して発射レール４６の上端部に沿って延在するよう切欠き形成されて、この切欠き(以下、球送り用切欠部４３ｃという)に前記球送り装置１３ａが臨むよう設定されている。すなわち、前記球送り装置１３ａからのパチンコ球Ｂは、前記球送り用切欠部４３ｃを介して発射レール４６の打球発射位置に送出される。なお、前枠１３を閉成した際に、前記球送り装置１３ａが前記取付ベース部材４３の前面に当接すると共に、前記球送り用切欠部４３ｃを閉成するよう構成されて、前記発射レール４６に送出したパチンコ球Ｂが球送り用切欠部４３ｃを介して取付ベース部材４３の前方へ落下しないようにしてある。
【００３６】
〔実施例１の作用〕
次に、実施例１に係るパチンコ機１０の作用につき説明する。
【００３７】
前記発射ユニット４２は、前記取付ベース部材４３の前面側から回転軸４５ａを挿通孔４３ｄに挿通した状態で、該取付ベース部材４３にロータリーソレノイド４５をネジ止めし、該取付ベース部材４３の裏面側には、所定の傾斜角度で発射レール４６および保護部材５０を取り付けると共に、球規制部材５６および上下のストッパ５７,５８を取り付け、該上下のスットパ５７,５８の間に位置するよう前記ロータリーソレノイド４５の回転軸４５ａに打球杆５９を取り付けることにより組付けられる。そして、前記取付ベース部材４３の裏面を中枠１２の設置面部３３に対向させた状態で、該設置面部３３に形成した支持部３４の位置決め孔３４ｂに、取付ベース部材４３の突出部４３ｂを挿入することで、前記発射ユニット４２が所定位置に位置決めされ、この状態で取付ベース部材４３に形成した各通孔４３ａの前側から支持部３４のネジ孔３４ａにネジ６２を螺挿することで、前記発射ユニット４２の裏面を対向させた姿勢で設置面部３３の所定位置に発射ユニット４２が取り付けられる。これにより、前記設置面部３３と取付ベース部材４３との間に、前記発射レール４６および打球杆５９が位置する。
【００３８】
ここで、前記発射ユニット４２の取付ベース部材４３に突出部４３ｂを形成すると共に、前記設置面部３３の支持部３４に位置決め孔３４ｂを形成することで、発射ユニット４２の位置決め固定を容易に行ない得るから、発射ユニット４２の組付け作業を簡単に行なうことができる。また、前記ロータリーソレノイド４５、発射レール４６、保護部材５０、球規制部材５６、上下のストッパ５７,５８および打球杆５９を取付ベース部材４３に取り付けてユニット化することで、発射ユニット４２の組付け作業を短時間で行なうことができ、作業効率の向上を図り得る。更に、前記発射レール４６と打球杆５９との相対的な位置関係を常に一定に保ち得るから、ロータリーソレノイド４５を作動して打球杆５９を揺動した際に、該打球杆５９の弾発部５９ａを確実に打球発射位置に臨ませることができ、パチンコ球Ｂの打ち出しを正確に行ない得る利点がある。
【００３９】
ここで、近年のように遊技盤１９を大きくして遊技盤保持部３２を中枠１２の下方位置に形成すると、発射ユニット４２を配設する設置面部３３も下方に設ける必要が生ずる。この場合に、中枠１２の右側にはハンドル部材１８が設けられているため、設置面部３３を中枠１２の右側に形成する構成のまま設置面部３３の形成位置を下方に移動することは困難である。このため、前記中枠１２における設置面部３３の形成位置を左方向に移動する必要があり、この場合に、遊技盤１９の発射通路２２へのパチンコ球Ｂの発射を考慮すると、中枠１２の左右方向の略中央位置に形成するのが最適である。しかしながら、前記設置枠台６５に設けた球回収部材６６がパチンコ機１０(中枠１２)の裏側における左右方向の略中央位置に臨むため、従来のように中枠１２の後方にロータリーソレノイド４５が突出する構成では、設置面部３３をパチンコ機１０(中枠１２)の左右方向の略中央位置に設けて発射ユニット４２を配設することは困難である。
【００４０】
これに対して、実施例１に係る発射ユニット４２では、前記取付ベース部材４３の前面側にロータリーソレノイド４５を配置して、該取付ベース部材４３の裏面側に発射レール４６や打球杆５９等を設けると共に、設置面部３３に支持部３４を突設するよう構成したことで、該ロータリーソレノイド４５を中枠１２の後方へ突出させることなく設置面部３３に配設することができる。従って、パチンコ機１０を設置する設置枠台６５に設けた球回収部材６６に、前記ロータリーソレノイド４５が干渉することはないから、発射ユニット４２を設置する設置面部３３を中枠１２の左右方向の略中央位置に形成することが可能である。すなわち、実施例１のように、取付ベース部材４３の前面側にロータリーソレノイド４５を配置することで、設置面部３３の形成位置に拘らず発射ユニット４２を設けることができるから、遊技盤１９の大型化等のようにパチンコ機設計上の自由度の向上を図り得る。
【００４１】
また、前記ロータリーソレノイド４５を取付ベース部材４３の裏面側に取り付ける構成では、該ロータリーソレノイド４５と中枠１２(設置面部３３)との干渉を防止するため、該中枠１２(設置面部３３)に開口を形成する必要があり、該開口を介して異物を挿入する等の不正行為が行なわれる可能性が高くなる問題を内在している。これに対して、実施例１では、前記取付ベース部材４３の前面側にロータリーソレノイド４５を配置するよう構成したから、該ロータリーソレノイド４５を挿通する開口を中枠１２に開設する必要がなく、異物が挿入されるのを防止し得る利点がある。
【００４２】
また、前記取付ベース部材４３の前面側にロータリーソレノイド４５を配置することで、従来に較べて発射ユニット４２(ロータリーソレノイド４５)が前方に突出している。実施例１では、前記球皿部材１６の裏側に、前記ロータリーソレノイド４５を収容可能な凹部１６ａを形成したことで、前方に突出するロータリーソレノイド４５を確実に収納することができる。また、前記発射ユニット４２の前側に位置する球皿部材１６を前記中枠１２に対して開閉可能に組付けてあるから、該発射ユニット４２のメンテナンス作業等を容易に行なうことができる。
【００４３】
更に、実施例１では、前記設置面部３３に形成した支持部３４の突出寸法を、前記発射レール４６の前後方向の幅寸法と略同等に設定したから、該支持部３４に取付ベース部材４３を取り付けた際に、設置面部３３に発射レール４６が近接し、発射レール４６の後方へのパチンコ球Ｂの落下を防止できる。また、前記取付ベース部材４３に、前記発射レール４６の上端縁より上方まで延在する落下防止部６０を設けるようにしたことで、発射レール４６の前方へのパチンコ球Ｂの落下を防止することが可能となる。更に、前記設置面部３３に前記発射レール４６の上方を覆う球溢れ防止壁３６を形成してあるから、パチンコ球Ｂが前記落下防止部６０を越えて発射レール４６の前方に落下するのを防止し得る。
【００４４】
ここで、前記落下防止部６０を発射ユニット４２(取付ベース部材４３)とは別部材とし、該別部材とした落下防止部６０を取付ベース部材４３や前枠１３に設けることも考えられるが、この場合には、コストの増大や組付け作業が煩雑になる等の不都合が生ずる。これに対し、実施例１のように、取付ベース部材４３を発射レール４６より上方まで延在させて落下防止部６０を設けるようにすることで、コストの増加を抑制し得ると共に、落下防止部６０の組付け作業が不要となる利点がある。このとき、落下防止部６０の発射レール４６からの突出寸法Ｌを、パチンコ球Ｂの直径寸法の２／３≦Ｌ≦直径寸法の範囲となるよう設定することで、パチンコ球Ｂの前方への落下を確実に防止し得ると共に、取付ベース部材４３の大型化によるコストの増大や発射ユニット４２自体の大型化といった問題を回避することができる。
【００４５】
すなわち、前記発射レール４６の打球発射位置に送出された全てのパチンコ球Ｂは、前記設置面部３３、落下防止部６０および球溢れ防止壁３６で囲まれた空間から逸脱することはないから、無駄にすることなく遊技に供することができる。
【００４６】
ところで、打球杆５９により打ち出されて遊技盤１９の発射通路２２に進入したパチンコ球Ｂは、その勢いによっては遊技領域１９ａ内に発射されることなく前記外レール２０に沿って戻ることがある。ここで、前述のように前記発射ユニット４２をパチンコ機１０(中枠１２)の左右方向の略中央位置に設置すると、遊技盤１９に設けた発射通路２２の始端開口部２２ａと、発射ユニット４２の発射レール４６とが接近すると共に、戻り口４０の開口寸法が狭くなる。このため、外レール２０に沿って流下して発射通路２２の始端開口部２２ａから放出されたパチンコ球Ｂが、発射レール４６まで飛来する可能性が高くなる。すなわち、発射通路２２の始端開口部２２ａから勢いよく放出されるパチンコ球Ｂが発射レール４６の傾斜上端部に衝突することで、発射レール４６が変形して適正なパチンコ球Ｂの打ち出しを行なえなくなる可能性が増大する。
【００４７】
そこで、実施例１に係るパチンコ機１０では、前記発射レール４６の発射通路側端面の全面を保護部材５０(保護部５２)で覆うよう構成してあるから、発射通路２２の始端開口部２２ａから放出されたパチンコ球Ｂが発射レール４６まで飛来した場合であっても、発射レール４６の傾斜上端部にパチンコ球Ｂが直接衝突するのは阻止され、発射レール４６に変形等の損傷を来たすのを防止できる。従って、発射レール４６に沿ってパチンコ球Ｂを適正に打ち出せなくなるのを抑制し得る。また、実施例１では、前記保護部５２の上端面５２ａを、前記発射レール４６の発射通路２２側端面の上端縁より僅かに下方に位置するよう構成し、該保護部５２にパチンコ球Ｂが衝突して変形が生じた場合であっても、その変形部位がレール面部４７に突出しないようにしたから、発射レール４６に沿ってのパチンコ球Ｂの適正な打ち出しを阻害することはない。
【００４８】
更に、前記保護部材５０は、前記発射レール４６を固定するネジ６２を取り外すと共に、該保護部材５０の切欠き５３および発射レール４６の通孔４８ａから取付ベース部材４３のボス４４を抜き出し、発射レール４６の傾斜方向上側に保護部材５０を移動させるだけで、当該保護部材５０を発射レール４６から取り外すことができる。すなわち、前記保護部材５０を前記発射レール４６とは別部材としたから、該保護部材５０(保護部５２)に変形等の損傷が生じた場合には、該保護部材５０のみを交換でき、廃棄物やコストの低減を図り得る利点がある。
【００４９】
更に、実施例１では、前記遊技盤１９における前記外レール２０の下端側に変更部材２５を配設し、該変更部材２５の突起部２７を発射通路２２内に突出するよう構成されている。これにより、遊技盤１９の発射通路２２内を流下するパチンコ球Ｂは変更部材２５に接触して弾かれ、その流下方向が変更される(図４(b)参照)。このように、パチンコ球Ｂを変更部材２５の突起部２７で弾いて流下方向を変更することで、発射通路２２の始端開口部２２ａから放出されたパチンコ球Ｂが発射レール４６へ向かう割合を低減し得るから、該発射レール４６や保護部材５０の変形等の損傷を効果的に抑制することができる。また、パチンコ球Ｂが変更部材２５の突起部２７に接触することで、発射通路２２の始端開口部２２ａから放出されるパチンコ球Ｂの勢いを弱めることができるから、変更部材２５の突起部２７で弾いたパチンコ球Ｂが、仮に発射レール４６まで到達したとしても変形等の損傷を効果的に防止できる。このように、前記変更部材２５を外レール２０の下端側に配設することで、発射通路２２の始端開口部２２ａから放出されるパチンコ球Ｂの前記保護部材５０への衝突割合および衝突時の衝撃力を低減し、保護部材５０の変形等の損傷を防止し得るから、発射レール４６の発射通路側端面の全面を保護部材５０で覆って保護することが可能となる。換言すれば、前記保護部材５０を設けて前記発射レール４６の発射通路側端面を保護するだけでなく、前記外レール２０の下端側に変更部材２５を設けることで、発射レール４６および保護部材５０に変形等の損傷を来たすのを効果的に防止して、発射レール４６に沿ってパチンコ球Ｂを確実に打ち出すことが可能となる。また、前記発射レール４６に沿って打ち出されたパチンコ球Ｂは、前記変更部材２５の配置位置より上方に到来して、パチンコ球Ｂが変更部材２５の突起部２７に接触しないよう設定してあるから、パチンコ球Ｂを確実に発射通路２２へ打ち出すことができる。
【００５０】
また、前記中枠１２における発射レール４６より発射通路２２側に形成した画壁３５には、１個のパチンコ球Ｂが通過可能な開口部３５ａのみを開設してある。これにより、前記発射レール４６に沿って打ち出されたパチンコ球Ｂを確実に発射通路２２へ進入させ得る一方、発射通路２２の始端開口部２２ａから放出されたパチンコ球Ｂの多くは、画壁３５により発射レール４６まで到来するのは阻止されて球戻し通路部３７に回収し得るから、発射レール４６および保護部材５０の変形等をより効果的に抑制し得る利点がある。
【００５１】
更に、前記外レール２０の下端を変更部材２５に係止して位置決めするよう構成してあるから、パチンコ球Ｂの流下方向を変更するために外レール２０を加工する必要がなく、一般的な汎用の外レール２０を利用することができ、製造コストの低減を図り得る。また、外レール２０の下端を変更部材２５に係止することで、外レール２０と変更部材２５(突起部２７)との位置関係を一定に保持することができ、該外レール２０に沿って流下したパチンコ球Ｂを確実に変更部材２５(突起部２７)に接触させてその流下方向を変更することができる。
【００５２】
〔実施例１の変更例〕
なお、遊技機の構成としては、実施例１のものに限らず、種々の変更が可能である。
例えば、実施例１では、保護部材を取り付けた際に保護部の上端面が発射レールの上端縁より僅かに下方に位置するよう構成したが、該発射レールの発射通路側端面の全面を確実に覆うようにすることも当然可能である。
【００５３】
実施例１では、変更部材に外レールの下端を係止するよう構成したが、これに限らず、変更部材以外の部位に外レールの下端を係止するようにしてもよい。また、変更部材自体の形状も、実施例のものに限られるものではなく、発射通路側に突出して、該発射通路を流下する遊技球の接触により流下方向を変更させるよう形成すれば、任意の形状に形成することができる。
【００５４】
また、実施例１では、設置面部を本体枠の左右方向略中央位置に形成するようにしたが、これに限られるものではなく、本体枠の左右に偏った位置に設置面部を形成するようにしてもよい。この場合であっても、設置面部の後方に回転式駆動手段が突出することはないから、遊技機の後方に位置する部材に回転式駆動手段が干渉することはなく、実施例１と同様の作用効果を得ることができる。
【００５５】
実施例１では、前記支持部の設置面部からの突出寸法を、発射ユニットにおける発射レールの前後方向の幅寸法と略同一になるよう設定するようにしたが、これに限られるものではなく、該支持部の設置面部からの突出寸法は、発射ユニットを取り付けた際に設置面部と取付ベース部材との間に発射レールおよび打球杆が位置し得る寸法に設定すればよい。なお、発射ユニットを支持部に取り付けた際に、前記設置面部と発射レールとの間の間隔が遊技球の直径寸法より小さくなるよう支持部の設置面部からの突出寸法を設定して、発射レールの後方への遊技球の落下を設置面部で防止し得るよう構成することが好適である。
【００５６】
実施例１では、発射ユニットの回転式駆動手段としてロータリーソレノイドを用いたが、これに限定されるものではなく、モータ等の従来公知の回転式駆動手段を用いることが可能である。
【００５７】
実施例１では、発射ユニットの取付ベース部材に、回転式駆動手段、発射レール、球規制部材および上下のストッパを取り付けるようにしたが、これに限られず、取付ベース部材の前面側に回転式駆動手段を配置し、取付ベース部材の裏面側に発射レールを配置すると共に、取付ベース部材の裏面側に配置した打球杆を回転式駆動手段の回転軸に取り付けるよう構成すればよい。
【００５８】
また、実施例１では、遊技機としてパチンコ機を例示して説明したが、これに限られるものではなく、本体枠に設けられる遊技盤に配設された外レールと、前記遊技盤における外レールの内側に配設され、該外レールとの間に遊技球が通過可能な発射通路を下方に開口するよう画成する内レールと、前記本体枠における遊技盤の下方に配設されて、前記発射通路の下方開口へ向けて上方傾斜し、打球機構部により打ち出された遊技球を発射通路の下方開口へ案内する発射レールと、前記発射通路の下方開口に臨むよう前記本体枠に形成され、該発射通路を流下した遊技球が進入する樋部とを備えた遊技機であれば、アレンジボール機等の従来公知の各種遊技機を採用し得る。
【実施例２】
【００５９】
次に、実施例２に係るパチンコ機について説明する。なお、実施例２に係るパチンコ機は、実施例１に係るパチンコ機１０と基本的な構成は同一であって、保護部材５０の形状が相違する。従って、以下の説明において、実施例１に係るパチンコ機１０と同一の構成・部材に関しては同一の符号を付して詳細な説明は省略する。
【００６０】
実施例２に係る保護部材７０は、図１１に示すように、発射レール４６の発射通路側端面の全面を覆う保護部５２と、該保護部５２に連接され、発射レール４６のレール面部４７に倣う形状に形成された支持片７２と、保護部５２における支持片７２の下方位置に連接され、前記取付ベース部材４３のボス４４に係脱可能に係合する係合フック(第２係合部)７３とから構成される。すなわち、前記支持片７２および係合フック７３の夫々は、前記発射レール４６の傾斜方向に沿って移動させることで、該発射レール４６の保持部４６ａに対して抜き差しし得るよう構成されており、該通孔４８ａを介して保持部４６ａに臨む前記取付ベース部材４３のボス４４が、本発明の第１係合部として機能するようになっている。
【００６１】
ここで、前記係合フック７３は、係合フック本体７３ａの端部に支持片７２から離間する方向へ延出するよう爪部７３ｂが形成されて、該爪部７３ｂがボス４４における発射レール４６の傾斜下方側に係合した際に、係合フック本体７３ａがボス４４の上側に当接するようになっている。すなわち、前記保護部材７０は、前記支持片７２が前記レール面部４７の裏面に当接することで上方移動が規制され、前記係合フック本体７３ａがボス４４の上側に当接することでレール面部４７から離間する方向への移動が規制されると共に、前記爪部７３ｂがボス４４に係合することで傾斜方向上側への移動が規制される。また、実施例１と同様に、前記保護部材７０の保護部５２が発射レール４６の発射通路側端面に当接することで傾斜方向下側への移動が規制されて、保護部材７０が所定位置に保持される。
【００６２】
〔実施例２の作用〕
次に、実施例２に係るパチンコ機の作用につき説明する。実施例２に係るパチンコ機によれば、前述した実施例１に係るパチンコ機が奏する作用効果に加えて、以下の有用な作用効果を奏する。
【００６３】
実施例２に係る保護部材７０を発射レール４６の発射通路側端面側から保護部材７０を差し込むと、前記係合フック７３の爪部７３ｂが前記ボス４４に当接し、更に保護部材７０を発射レール４６内側に移動すると係合フック７３が弾性変形して、爪部７３ｂがボス４４を越えると係合フック７３の弾性復帰により爪部７３ｂがボス４４に係合する。そして、前記係合フック７３(爪部７３ｂ)がボス４４に係合した状態では、前記支持片７２、係合フック本体７３ａ、爪部７３ｂおよび保護部５２により、保護部材７０を所定位置に位置決め保持し得るから、該保護部材７０(保護部５２)により発射レール４６の発射通路側端面を確実に保護することができる。また、発射通路２２の始端開口部２２ａから放出されたパチンコ球Ｂが保護部材７０に衝突して、該保護部材７０に変形等の損傷が生じた場合には、前記発射レール４６の下方開口を差し込んだ手指または工具により前記係合フック７３を上方へ弾性変形させて、爪部７３ｂとボス４４との係合を解除し、この状態で保護部材７０を傾斜方向上側へ移動させれば、発射レール４６から保護部材７０を取り外すことができる。すなわち、実施例２に係る保護部材７０は、発射レール４６に対して容易に着脱し得るから、保護部材７０の経時的な劣化や変形等の損傷が生じた場合であっても、該保護部材７０を交換することで、パチンコ球Ｂの発射レール４６に沿った良好な打ち出しを好適に維持し得る。
【００６４】
〔実施例２の変更例〕
なお、実施例２に係る遊技機の構成としては、これに限られず、実施例１に係る遊技機と同様の種々の変更が可能である。また、実施例２では、保護部材を発射レールに対して傾斜方向上側から挿入することで取り付けるよう構成したが、発射レールの下方開口を介して取り付けるようにしても良い。また、前記保持部を発射レールの前側に開口するよう形成すれば、発射レールに対して前側から保護部材を着脱し得るよう構成することもできる。また、実施例２では、取付ベース部材に形成したボスに対して保護部材の係合フックが係脱可能に係合するよう構成したが、これに限られるものでなく、発射レールに第１係合部を形成して、第１係合部と係脱可能に係合する第２係合部を保護部材に形成するようにすれば、実施例２と同様の作用効果を得ることができる。
【図面の簡単な説明】
【００６５】
【図１】本発明の実施例１に係るパチンコ機を示す正面図である。
【図２】実施例１に係るパチンコ機における設置面部の形成位置を拡大して示す正面図であって、設置面部から発射ユニットを取り外した状態を示す。
【図３】実施例１に係るパチンコ機における設置面部の形成位置を拡大して示す正面図であって、設置面部に発射ユニットを取り付けた状態を示す。
【図４】実施例１に係るパチンコ機における発射レールと発射通路との関係を示す拡大図であって、(a)は発射レールからのパチンコ球の打ち出し方向を示し、(b)は発射通路から放出されたパチンコ球の描く軌跡を示す。
【図５】実施例１に係る変更部材を示す斜視図である。
【図６】実施例１に係る発射ユニットを正面側から視た状態で示す斜視図である。
【図７】実施例１に係る発射ユニットを背面側から視た状態で示す分解斜視図である。
【図８】実施例１に係る発射ユニットを示す背面図であって、発射レールの傾斜上端部側を破断して示す。
【図９】実施例１に係る保護部材を取り付けた発射レールを、傾斜方向上端部側から視た状態を示す概略図である。
【図１０】実施例１に係るパチンコ機を設置面部で縦断した状態で拡大して示す側面図である。
【図１１】実施例２に係る発射ユニットを示す背面図であって、発射レールの傾斜上端部側を破断して示す。
【符号の説明】
【００６６】
１２  中枠(本体枠)
１９  遊技盤
２０  外レール
２１  内レール
２２  発射通路
２２ａ  始端開口部(下方開口)
２５  変更部材
２６  板状本体
２７  突起部
２８  凹部
３１  割ピン(係止部)
３５  画壁
３５ａ  開口部
３７  球戻し通路部(樋部)
４４  ボス(第１係合部)
４５  ロータリーソレノイド(打球機構部)
４６  発射レール
４６ａ  保持部
４７  レール面部
５０  保護部材
５１  基体部
５２  保護部
５２ａ  上端面
５９  打球杆(打球機構部)
７３  係合フック(第２係合部)
Ｂ  パチンコ球(遊技球)
【図１】
0004817902.tif 000002
【図２】
0004817902.tif 000003
【図３】
0004817902.tif 000004
【図４】
0004817902.tif 000005
【図５】
0004817902.tif 000006
【図６】
0004817902.tif 000007
【図７】
0004817902.tif 000008
【図８】
0004817902.tif 000009
【図９】
0004817902.tif 000010
【図１０】
0004817902.tif 000011
【図１１】
0004817902.tif 000012